【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
三次元画像ボリュームデータセットを規定する二次元断面スライス画像を後処理するための装置であって、
グラフィカルユーザインターフェースコントローラと、
二次元セグメンターと、
三次元セグメンターとを有し、
前記グラフィカルユーザインターフェースコントローラが、画面上での表示のためにグラフィカルユーザインターフェースを生成するように構成され、前記ユーザインターフェースは表示されるとき、前記画面上に前記二次元スライスの初期スライスを表示するインタラクティブな第１のウィンドウウィジェットを有し、前記スライスは関心オブジェクトの断面を示し、前記ウィンドウウィジェットは、ユーザが前記表示された初期スライス上のどこでも単一初期点の位置データをポインタツールによって指定することを可能にするように構成され、
前記二次元セグメンターは前記ユーザが前記位置データを指定することに応答して、前記スライスにわたって前記指定された単一初期点を通過する若しくはそこから開始する曲線セグメンテーションラインを計算することによって、前記表示された初期スライスを二次元セグメント化するように構成され、
前記グラフィカルユーザインターフェースコントローラがさらに、前記初期スライス上にオーバーレイされる前記計算されたセグメンテーションラインを前記第１のウィンドウウィジェットでの表示のために生成するように構成され、
前記三次元セグメンターが、ユーザ要求に応答して、前記計算されたセグメンテーションラインを前記関心オブジェクトの三次元セグメンテーションの幾何学的な制約として使用することによって、複数の前記スライスにわたって前記関心オブジェクトの三次元セグメンテーションを計算するように構成され、
前記グラフィカルユーザインターフェースコントローラがさらに、前記計算された三次元セグメンテーションの少なくとも一部を前記画面上での表示のために生成するように構成される、
装置。
【請求項２】
前記ユーザが前記三次元セグメンテーションを要求すると、前記計算されたセグメンテーションラインがバッファに保存され、前記ユーザが新たな初期点を指定すると、前記セグメンターが前記新たな初期点から開始する若しくはそれを通過する新たなセグメンテーションラインを計算し、前記新たに計算されたセグメンテーションラインは前記初期スライス上にオーバーレイされて前記第１のウィンドウウィジェットに表示され、前記ユーザが新たな三次元セグメンテーションの計算を要求すると、前記新たなセグメンテーションラインが前記前のセグメンテーションラインと一緒に前記バッファに保存され、前記セグメンターはバッファされた前記セグメンテーションラインの両方を制約として使用して前記関心オブジェクトの新たな三次元セグメンテーションを計算し、前記グラフィカルユーザインターフェースコントローラが前記関心オブジェクトの新たな三次元セグメンテーションの少なくとも一部を表示するように前記画面を更新する、請求項１に記載の装置。
【請求項３】
前記ポインタツールがコンピュータマウスであり、前記位置データ若しくは前記新たな位置データの指定が、マウスクリックイベントを用いることなく、前記ユーザによって前記マウスが動かされるときに前記マウスによって生成される位置記録を用いることによってもたらされ、前記三次元セグメンテーション及び前記セグメンテーションラインのバッファリングに対する前記ユーザ要求は、マウスクリック及び前記位置記録の使用の両方によってもたらされる、請求項１又は２に記載の装置。
【請求項４】
前記セグメンターが、前記要求された三次元セグメンテーションに加えて、前記計算に使用されない若しくは前記要求された三次元セグメンテーションの一部を成さない前記三次元ボリューム中の少なくとも一つのサンプル領域に基づく少なくとも一つの追加サンプル三次元セグメンテーションを計算するように構成され、前記装置が、
前記要求された三次元セグメンテーションを前記サンプル三次元セグメンテーションと比較して偏差値を確立するように構成され、前記偏差値が設定可能な閾値を超えるときに、前記グラフィカルユーザインターフェースコントローラへ前記サンプル領域の断面を示すスライスを表示するように前記第１のウィンドウウィジェットを更新するコマンドを発するように構成される、コンパレータをさらに有する、請求項１乃至３のいずれか一項に記載の装置。
【請求項５】
一つ若しくは複数の前記制約が、前記初期若しくは新たな初期スライスにおける前記関心オブジェクトの断面をアウトラインする輪郭曲線を含む、請求項１乃至４のいずれか一項に記載の装置。
【請求項６】
前記グラフィカルユーザインターフェースコントローラがさらに、前記計算された三次元セグメンテーションを第２のウィンドウウィジェットでの表示のために生成するように構成される、請求項１乃至５のいずれか一項に記載の装置。
【請求項７】
前記関心オブジェクトが人若しくは動物の肺の一部であり、前記セグメンテーションラインが前記肺の二つの肺葉間の裂線をあらわす、請求項１乃至６のいずれか一項に記載の装置。
【請求項８】
請求項１乃至７のいずれか一項に記載の装置によって前記画面上に表示されるときのグラフィカルユーザインターフェース。
【請求項９】
二次元断面スライス画像を後処理する方法であって、
前記二次元スライスの初期スライスを画面上に表示するステップであって、前記スライスは関心オブジェクトの断面を示し、ユーザが前記表示された初期スライス上のどこでも単一初期点の位置データをポインタツールによって指定することを可能にするようにウィンドウウィジェットが構成される、ステップと、
ユーザが前記表示されたスライス上に前記単一初期点の位置データを指定することに応答して、前記指定された単一初期点を通過する若しくはそこから開始する曲線セグメンテーションラインを前記スライスにわたって計算するステップと、
第１のウィンドウウィジェットにおいて前記初期スライス上にオーバーレイされる前記計算されたセグメンテーションラインを表示するステップと、
ユーザ要求に応答して、前記計算されたセグメンテーションラインを前記関心オブジェクトの三次元セグメンテーションの幾何学的な制約として使用することによって複数の前記スライスにわたって前記関心オブジェクトの三次元セグメンテーションを計算するステップと、
前記画面上に前記計算された三次元セグメンテーションの少なくとも一部を表示するステップとを有する、方法。
【請求項１０】
前記セグメンテーションラインを含む前記計算された二次元セグメンテーションをバッファに保存するステップと、
前記ユーザが新たな初期点を指定すると、前記新たな初期点から開始する若しくはそれを通過する新たなセグメンテーションラインを計算するステップと、
前記初期スライス上にオーバーレイされる前記新たに計算されたセグメンテーションラインを前記第１のウィンドウウィジェットに表示するステップと、
前記ユーザが新たな三次元セグメンテーションの計算を要求すると、前記前のセグメンテーションラインと一緒に前記新たなセグメンテーションラインを前記バッファに保存するステップと、
バッファされた前記セグメンテーションラインの両方を制約として用いて前記関心オブジェクトの新たな三次元セグメンテーションを計算するステップと、
前記関心オブジェクトの新たな三次元セグメンテーションの少なくとも一部を表示するステップとをさらに有する、請求項９に記載の方法。
【請求項１１】
前記ポインタツールがコンピュータマウスであり、前記位置データ若しくは前記新たな位置データの指定が、マウスクリックイベントを用いることなく、前記マウスが前記ユーザによって動かされるときに前記マウスによって生成される位置記録を用いることによってもたらされ、前記三次元セグメンテーション及び前記セグメンテーションラインのバッファリングに対する前記ユーザ要求は、マウスクリック及び前記位置記録の使用の両方によってもたらされる、請求項９又は１０に記載の方法。
【請求項１２】
前記要求された三次元セグメンテーションに加えて、前記計算に使用されない若しくは前記要求された三次元セグメンテーションの一部を成さない前記三次元ボリューム中の少なくとも一つのサンプル領域に基づく少なくとも一つの追加サンプル三次元セグメンテーションを計算するステップと、
前記要求された三次元セグメンテーションを前記サンプル三次元セグメンテーションと比較して偏差値を確立するステップと、
前記偏差値が設定可能な閾値を超えるとき、前記サンプル領域の断面を示すスライスを表示するステップとをさらに有する、請求項９乃至１１のいずれか一項に記載の方法。
【請求項１３】
二次元断面スライス画像を後処理するための医療システムであって、装置が、
前記二次元画像スライスを保持するためのデータベースと、
請求項１乃至７のいずれか一項に記載の装置と、
前記装置によって出力される第１及び／又は第２のウィンドウウィジェットを表示するための画面とを有する、医療システム。
【請求項１４】
処理ユニットによって実行されるときに、請求項９乃至１２のいずれか一項に記載の方法ステップを実行するように構成される、請求項１乃至７のいずれか一項に記載の装置を制御するためのコンピュータプログラム要素。
【請求項１５】
請求項１４のプログラム要素を記憶したコンピュータ可読媒体。